(57)【要約】【課題】  本発明は箸を正しく把持した状態で箸を使用するとき、固定された第２箸を中心に第１箸が一定の軌跡に回動して箸の先端が常に一致する構造を有し、特に、箸使いを初めて覚える子供や外国人に正しい箸の使い方をより容易に覚えられるように手助けするのみならず、箸使いの校正が必要な人が容易に使用できる効果がある。【解決手段】  本発明は箸に関するものであり、本発明は第１箸(1)及び第２箸(2)のような一対からなる箸において、前記第１箸(1)の上端部側に形成されたガイド溝(1a)に沿って移動するように第２箸(2)の固定溝(2a)に固定されるとともに一対の箸(100;1、2)の間を連結するガイド軸(3)と、前記ガイド軸(3)と一定間隔をおいて一対の箸(100;1、2)の中間部位に組込まれて第１箸(1)が箸使いによって回動するときに一定間隔を保持しながら回動するように一端が第２箸(2)の締結溝(2b)に固定されるとともに、他端が第１箸(1)に設けられた回動溝(1b)の固定ピン(1c)を中心に回動自在に連結され一対の箸(100;1、2)を相互拘束する回動軸(4)とを有することを特徴とする。【選択図】図5
2007532231.tif 000002
【特許請求の範囲】
【請求項１】
第１箸(1)及び第２箸(2)のような一対からなる箸において、
前記第１箸(1)の上端部側に形成されたガイド溝(1a)に沿って移動するように第２箸(2)の固定溝(2a)に固定されるとともに一対の箸(100;1、2)の間を連結するガイド軸(3)と、
前記ガイド軸(3)と一定の間隔をおいて一対の箸(100;1、2)の中間部位に組込まれ第１箸(1)が箸使いによって回動するとき、一定間隔を保持しながら回動するように一端が第２箸(2)の締結溝(2b)に固定されるとともに他端が第１箸(1)に設けられた回動溝(1b)の固定ピン(1c)を中心に回動自在に連結され一対の箸(100;1、2)を相互拘束する回動軸(4)を有することを特徴とする箸。
【請求項２】
請求項１において、前記回動軸(4)は自体の長さ変更ができるように左右挿入可能な構造を有し、前記一対の箸(100;1、2)に回動溝(1b)及び締結溝(2b)をあい対向するように多数備えて回動軸(4)の設け位置を選択的に変更できるように構成することを特徴とする箸。
【請求項３】
請求項１において、前記回動軸(4)は自体の長さ変更ができるように左右挿入可能な構造を有し、前記一対の箸(100;1、2)に回動軸(4)が上下移動の可能なガイドライン形状に溝を形成して回動軸(4)の設け位置を選択的に変更できるように構成することを特徴とする箸。
【請求項４】
請求項１ないし請求項３のいずれか一項において、前記一対の箸(100;1、2)上端にマスコット(5;5a、5b)形状の造形物が形成されたことを特徴とする箸。
【請求項５】
請求項１において、前記第２箸(2)にはパッド部(6)が設けられ、
前記パッド部(6)は箸を把持する使用者の手と第２箸(2)が接触するようになる把持面上に位置することを特徴とする箸。
【請求項６】
請求項４において、前記第２箸(2)にはパッド部(6)が設けられ、前記パッド部(6)は箸を把持する使用者の手と第２箸(2)が接触するようになる把持面上に位置することを特徴とする箸。
【請求項７】
請求項５または請求項６において、前記パッド部(6)はフレキシブルな材質で作られ第２箸(2)の把持面に別途に取り付けられることを特徴とする箸。
【請求項８】
請求項５または請求項６において、前記パッド部(6)は第２箸(2)の把持面自体に多数の小さな凹凸状を与えて形成されることを特徴とする箸。
【発明の詳細な説明】
【技術分野】
【０００１】
本発明は箸に関するものであって、より詳しくは一対の箸を正しく把持した状態で箸を用いる際に固定された第２箸を中心としてもう一つの第１箸が一定の角度に回動して箸の先端が常に一致することができるようにした一対の箸の間にガイド軸と回動軸を設けることによって、箸の使用に不慣れな子供や外国人などが正しい箸の使い方を容易に習得できるように手助けできるのみならず、正しい箸の使い方を慣らすための練習用及び校正用に用いられるようにした箸に関する。
【背景技術】
【０００２】
周知のように東洋人の飲食文化の特性上、食物を食べるとき箸の使用が頻繁に行われている。
このように用いられている箸は左右一対で構成されており、箸を用いるときは片手に取って把持した後、一対の箸の先端部が選択的に近接しながら先端部で食物を捉えるようになっている。
【０００３】
ここで、通例的に図１及び図２に示されたような方法で箸を用いることが正しい箸の使い方として知られている。
【０００４】
即ち、図１に示されたように、箸を取るとき、まず一対の箸(10、11)のうち一本の箸(10)を薬指(23)の第1節と親指(20)と人差し指(21)の間に置いた後、親指(20)の中間部位で押さえて固定させ、もう一本の箸(11)を人差し指(21)と中指(22)の末節の間の地点と人差し指(21)の基節部分に置いた後、親指(20)の末節部位で押さえて取る。
【０００５】
その後、図２に示されたように、一本の箸(10)を固定させた状態で、もう一本の箸(11)を親指(20)の末節部位で押さえた地点を基準点にして人差し指(21)と中指(22)で箸(11)を一定角度下に回転させながら箸さばきをして必要な物を捉えるようになる。
【０００６】
ところが、前記のような箸の持ち方で正しく箸を用いることは箸を初めて用いる子供や外国人の場合、相当な困難を感じることは確かである。
【０００７】
すなわち、初めて箸の使い方を習う場合、前記箸(10)が薬指(23)の末節部位から滑り落ちて容易に固定されず、親指(20)、人差し指(21)及び中指(22)の三本の指を利用して箸(11)を同一平面上で一定軌跡に回転運動をさせることは容易ではなく、箸(10、11)が互いにずれることなく同一の長さに先端を相互一致させることは容易ではないのである。
【０００８】
そして、箸使いが未熟な状態で箸を用いる場合、食物を捉えた状態から持ち上げる過程で箸に加えられる力の分配を適切にすることができず食物が中途で落ちてしまうなど様々な不都合があったのである。
【０００９】
実際に箸はスプーンやフォークなどに比べて使用上相当な困難があることは確かであり、飲食文化の特性上、箸を使用しない国に住む外国人の場合、ほとんど箸を使用してみた経験がないので、初めて箸を使用するとき相当な困難を感じることを容易に確認できる。
【００１０】
特に、初めて箸の使い方を習う子供の場合、初めから正しい箸の使い方を習うのには相当な困難が伴い、一定程度に熟達するまでは相当な時間がかかるのは周知の事実である。
【００１１】
このように正しい箸の使い方を習うためには相当な注意を注がなければならず、正しく用いられなかったとき不便さとぎこちなさがあった。
【００１２】
例えば、図１及び図２に示された以外の箸の持ち方で箸使いをする人を周りで度々見うけるが、これは箸を初めて手にしたとき正しい箸の使い方でなく自身にとって楽なやり方で箸を取るようになり、このような間違った自己流の持ち方が身についてそのような箸の使い方が固定されてしまったからである。
【００１３】
このように、意外と箸の使い方が正しくなく下手な人が多いのはもちろん、箸の使い方を習うことができなかった外国人の場合、正しい箸の使い方を覚えるのに困難を訴えている実情である。
【００１４】
このように正しくない箸の使い方が身についた人の場合、正しい箸使いをする人から恥をかく場合が度々あって校正の必要性を痛感するようになる。
【発明の開示】
【発明が解決しようとする課題】
【００１５】
しかし、実際に正しい箸の使い方に慣れるために箸の使い方を校正しようとする場合においても、図１及び図２に示されたように既存のかけ離れた一対の箸(10、11)を使用する場合には間違った箸の使い方が身についた状態から容易に校正することは困難であるのみならず、正しい箸の使い方を身につけるために多くの時間と努力を必要とするという問題点があった。
【００１６】
そこで、本出願人及び他の多数の出願人により正しい箸の使い方を慣らすことができるように手助けする改良された箸及び練習用箸が研究開発されて提示されてきている。
【００１７】
即ち、本出願人により実用新案登録出願(実用新案出願第2001-6077号、2001．3．7．出願)され、技術評価保持決定を受けた実用新案登録第20-0242011号(2001．7．30．登録、名称；箸使い校正の可能な箸)に提示された箸の場合、図３に示されたように、左右一組のバラの二本からなる箸(1;1a、1b)の間にＸ状枠組(X)で互いに連結することによって、箸使いする時、二本の箸(1;1a、1b)が一定間隔を保持しながらＸ状枠組(X)を中心にして箸(1;1a、1b)の下段部が一定角度に自在に回動するように構成されている。
【００１８】
また、韓国実用新案登録第2000-0233449号(2001年5月28日登録;2000年12月13日出願された実用新案登録出願第2000-34896号に該当(名称「使用が便利な箸」)に提示された箸の場合、図４に示されたように、上端部が広くて下部が狭い形態になされ、一対一組の一対を基本に形成されて使用者が手に取って使用する箸において、使用者の手に把持され、端部には水平に貫通孔が貫通された一側箸(31)を備え、この一側箸(31)の他側に形成され、端部には垂直に貫通孔が貫通された他側箸(32)を備え、この一側箸(31)と他側箸(32)の中央部に形成されて一定の高さを保持する支持部(33)を備えた箸(30)と、前記箸(30)の上端を一定間隔に保持させて、水平、垂直、斜め方向に一定角度回転する他側箸(32)を支持する支持部材(40)とからなる構造を有する。
【００１９】
前に記述した箸の他にも実用新案登録第20-0216488号(2000年12月30日登録;2000年9月27日出願された実用新案登録出願第2000-27044号に該当)、第20-0253470号(2001年10月27日登録;2001年8月1日出願された第2001-23369号に該当)、第20-0258454号(2001年12月11日登録;2001年8月14日出願された第2001-24658号に該当)、及び第20-0317781号(2003年6月13日登録;2003年3月27日出願された第2003-9210号に該当)などに記載されている箸の場合、いずれも使用が容易なだけでなく正しい箸の使い方を慣らすように手助けできるように改良された箸を開示している。
【００２０】
このように使用が容易なだけでなく正しい箸の使い方を慣らすか箸使いを校正することのできる箸が多様に研究開発され提供されている理由は、前記のように初めて箸に接する子供や、飲食文化が異なる外国人が初めて箸に接したとき、正しい箸の使い方を慣らすことがそのだけ難しいことに起因する。
【００２１】
また、前記のように正しい箸の使い方を習って習慣化されることが難しく、幼児期に正しい箸使いを教えなければ、成人になってからは正しい箸使いのできるように校正することに多くの期間がかかり、さらには正しい箸使いの教育を受けられず間違った方式で箸を使用するか、初めから箸を使用できないが故に不便さを甘受しなければならない人も生じる問題点もあった。
【課題を解決するための手段】
【００２２】
前記問題点を解決するために、本発明は前記先出願された多くの箸と異なる構造を有しながらも正しい箸の使い方をより容易に覚えることができ、かつ使用が容易な箸を提供するために案出されたものであって、本発明は箸を正しく把持した状態で箸を働かすときに固定された一本の箸を中心にしてもう一本の箸が一定角度に回動して箸の先端が常に一致できるように、一対の箸の間にガイド軸と回動軸を設けることによって、箸に初めて接する子供や外国人に正しい箸の使い方が覚えられる練習用箸として提供され、正しい箸の使い方をより容易に覚えることができるように手助けするのみならず箸の使い方の校正が必要な人が容易に使用することができる箸を提供することにその目的がある。
【００２３】
さらに、本発明は使用者の把持面に接触する箸部位にパッド部を設けることによって、箸を正しく把持した状態で箸を使用するとき接触面でパッド部により箸の滑りを防げるように滑り防止構造を有する箸を提供することにもう一つの目的がある。
【００２４】
前記のような本発明の目的は、第１箸及び第２箸のような一対からなる箸において、前記第１箸の上端部側に形成されたガイド溝に沿って移動するように第２箸に形成された固定溝に固定されるとともに、一対の箸の間を連結するガイド軸と、前記ガイド軸と一定間隔をおいて一対の箸の中間部位に組込まれ、第１箸が箸使いにより回動するとき一定間隔を保持しながら回動するように一端が第２箸の締結溝に固定されるとともに他端が第１箸に設けられた回動溝の固定ピンを中心に回動自在に連結され、一対の箸を相互拘束する回動軸を有することを特徴とする箸を提供することにより達成される。
【００２５】
この際、前記回動軸は自体の長さ変更ができるように左右挿入可能な構造を有し、前記一対の箸に回動溝及び締結溝を互いに対向するように多数備えて、或いは回動軸が上下移動が可能なガイドライン形態に溝を形成して回動軸の設け位置を選択的に変更できるように構成することが望ましい。
【００２６】
特に、前記一対の箸の上端部に箸使いの過程で使用者の興味をそそられるマスコット形状の造形物を形成することが望ましい。
【００２７】
そして、前記使用者の把持面に接触する第２箸の部位にパッド部を設けることによって、箸を使用するとき接触面でパッド部により箸の滑りを防ぐようにすることが望ましい。
【発明の効果】
【００２８】
以上で説明したように本発明によれば、一対の箸の間にガイド軸と回動軸を設けることによって、箸を正しく把持した状態で箸を使用するとき固定された一本の箸を中心に他の一本の箸が一定角度に回動して箸の先端が常に一致するようになる。
【００２９】
結果的に、箸に初めて接する子供や外国人に正しい箸の使い方を覚えるようにする練習用箸として提供され、正しい箸の使い方をより容易に覚えられるように手助けするのみならず、箸使いの校正が必要な人が校正用として容易に使用できる効果がある。
【００３０】
また、前記第２箸の把持面に滑り止めのためのパッド部を設けることによって、箸を使用する過程で箸が滑り落ちる問題点を未然に防げる効果がある。
【発明を実施するための最良の形態】
【００３１】
本発明の前述した目的及びメリットをより明白にするために、以下、本発明による箸について添付された図面に基づいて実施例を詳細に説明する。
【００３２】
図５は本発明による箸の構成を示す図面であり、図６及び図７は本発明による箸の結合状態での動きを示す図面であり、図１１は本発明による箸を正しく把持して使用する使用例示図である。
【００３３】
図５ないし図７に示されたように、本発明による箸は、左右一対のバラの箸(100;1、2)において、前記一対の箸(100;1、2)の上端部側にガイド溝(1a)に沿って移動するガイド軸(3)が連結され、前記ガイド軸(3)と一定の間隔をおいて箸(100;1、2)の中間部位に設けられ、第１箸(1)が箸使いにより回動するとき、一定の間隔を保持しながら回動するようにした一対の箸(100;1、2)を相互拘束する回動軸(4)が組込連結される構造を有する。
【００３４】
ここで、前記一対の箸(100;1、2)の上端部には前記ガイド軸(3)を組込んで締結するためにあい対向する同じ高さに固定溝(2a)とガイド溝(1a)がそれぞれ形成される。
【００３５】
即ち、前記箸(100;1、2)を把持した状態で箸使いをするとき、働く側の第１箸(1)にはガイド溝(1a)が形成され、その反対側の第２箸(2)には固定溝(2a)が形成されるようになる。
【００３６】
この際、前記ガイド軸(3)の一端(3b)は前記固定溝(2a)に挟み組込まれた状態で、その他端(3a)がガイド溝(1a)に貫通するように挟まれて箸使いをするとき第１箸(1)のガイド軸(3)に沿って移動するようになるところ、前記ガイド軸(3)の長さはガイド溝(1a)が形成された第１箸(1)が前記回動軸(4)を中心に回動するとき、回転角(働く距離)に対応できるだけの充分な長さを有するように設けられる。
【００３７】
そして、前記回動軸(4)を組込締結するために前記ガイド溝(1a)と固定溝(2a)でそれぞれ一定の間隔をおいて一対の箸(100;1、2)の中間部位にはそれぞれ回動溝(1b)と締結溝(2b)が形成される。
【００３８】
もちろん、前記回動溝(1b)と締結溝(2b)は互いに対向する同じ高さに形成されて回動軸(4)が組込締結できる構造を有し、前記回動溝(1b)は前記ガイド溝(1a)が形成された第１箸(1)に形成される。
【００３９】
従って、前記締結溝(2b)は反対側の第２箸(2)に形成され、この際、前記締結溝(2b)は前記固定溝(2a)と同一構造に形成される。
【００４０】
即ち、前記ガイド軸(3)の一端(3b)と回動軸(4)の一端(4b)が同一構造に形成されて前記固定溝(2a)と締結溝(2b)に挟み組込まれたときに容易に抜け出ないように設計されたものである。
【００４１】
即ち、前記固定溝(2a)と締結溝(2b)にそれぞれ挟み組込まれて固定されるガイド軸(3)と回動軸(4)の一端(3b、4b)は挟み組込み後に強い力で強制的に引き出さない限り、容易に抜け出ないように初め挿入されるときに縮み、溝に完全に挿入された後は初めの形態に復元して広がり、それぞれ溝の内部に固定される弾性を有するフック構造に形成されている。
【００４２】
もちろん、前記ガイド軸(3)と回動軸(4)の一端(3b、4b)の構造が図面に示されたような構造に限定されるものではなく、前記固定溝(2a)と締結溝(2b)に挟まれた後にたやすく抜け出ない構造であるならばいかなる構造でもよい。
【００４３】
そして、前記回動軸(4)のもう一つの一端(4a)が挟み挿入される前記回動溝(1b)には固定ピン(1c)が設けられている。
【００４４】
これは前記回動溝(1b)に挿入される回動軸(4)の一端(4a)が引っ掛けかぎの構造に形成されて前記固定ピン(1c)に締結された後に回動自在にするためである。
【００４５】
一方、前記一対の箸(100;1、2)上端には図面に示されたように、花婿花嫁の形状のマスコット(5;5a,5b)を形成することも望ましい。
【００４６】
即ち、図６及び図７に示されたように、前記ガイド軸(3)と回動軸(4)により一対の箸(100;1、2)が互いに連結された状態で箸使いにより花婿花嫁の形状のマスコット(5;5a、5b)が寄り添ったり離れたりする動作を繰り返すようになるにつれて、子供や箸(100;1、2)を初めて使用する外国人が視覚的に興味をそそられるのみならず、のっぺらぼうの箸に比べて生動感を与えることができる長所を有するため、箸の使い方を身に着ける過程において多少の退屈さを解消することができる側面もあるのである。
【００４７】
もちろん、前記一対の箸(100;1、2)の上端に形成されるマスコット(5;5a、5b)形状の造形物は本発明の実施例で示す花婿花嫁の形状に局限されることなく、興味をそそられるマスコット形状であればいかなる形態であってもよいことは自明である。
【００４８】
一方、前記回動軸(4)は使用者の選択によって設け位置を変更することができる。これは使用者の指の長さによる箸(100;1、2)を取る指の位置がそれぞれ異なることもあるので、使用者が回動軸(4)の位置を変更することができる構造を提供しようというのである。
【００４９】
このために図８に示されたように、前記回動溝(1b)及び締結溝(2b)をそれぞれ所定の間隔をおいて多数備えて使用者が自身の指の長さに合うように回動軸(4)の設け位置を調節することができるものである。
【００５０】
もちろん、上記のように回動溝(1b)及び締結溝(2b)を多数備えることの他にも図示されてはいないが一対の箸(100;1、2)の間に互いに対向するように上下移動可能なガイドライン形態に溝を形成して回動軸の位置を選択的に変更した後、回動自在にピン止めする構造を取ることもできる。
【００５１】
このような構造は当業者であれば誰でも容易に構成できるので、その詳細な構造は省略する。
【００５２】
また、前記回動軸(4)の長さ自体も変更可能に構成することができる。
【００５３】
即ち、図９に示された回動軸(4)の長さ変更ができる構造である左右挿入を通じた締結突起(4c)で固定する構造を通じて一対の箸(100;1、2)の間の間隔を力で調節することもできるのである。
【００５４】
これはやはり使用者の指の長さ及び箸の持ち方による充分な間隔を確保して一対の箸(100;1、2)の間隔が多様に具現されるようにするためである。
【００５５】
前記のような方法の他にも主に箸使いに不慣れな人の訓練及び校正のために本発明による箸を使用することであるので、その規格は多様に備えることが望ましい。
【００５６】
一方、箸使いが不慣れな子供及び初めて箸に接する外国人が箸を不安定に把持した状態で箸に作用する力の分布が不安定になる場合、使用者の把持面で箸が滑り落ち、特に、多くの箸がほとんど硬質のプラスチックや金属のような硬くてすべすべしている材質で製作されているため、上記のように不安定な分布の力が作用するとき、若干滑り落ちる恐れがある。
【００５７】
即ち、前記のような場合に前記第２箸(2)の把持面(或いは接触面)で滑り落ちる現象が起こる恐れがあるため、これを防ぐために本発明の他の実施例では前記第２箸(2)の把持面に別途のパッド部(6)を用意して滑りを防げる構造を提供している。
【００５８】
即ち、図１０に示されたように、前記第２箸(2)が置かれる指の薬指(23)の第1節と親指(20)と人差し指(21)の間及び、親指(20)の中間部位で押さえる第２箸(2)の接触面にそれぞれパッド部(6)が設けられる。
【００５９】
この際、前記パッド部(6)は箸を製作する硬質のプラスチックや金属とは異なる軟質のフレキシブルな材質で製作され、第２箸(2)の把持面に別途に取り付けられることが望ましいが、これに限定されるのではない。
【００６０】
即ち、前記パッド部(6)は第２箸(2)の把持面自体に多数の小さな凹凸状を与え、滑りを防げる構造に設けられることもできる。
【００６１】
上記のように構成された本発明による箸の使用例示図が図１１に示されているところ、これを簡単にみてみれば、正しい箸使いのために本発明による一対の箸(100;1、2)を取るとき従来技術で説明したように、二本の箸(100;1、2)のうち第２箸(2)を指の薬指(23)の第１節と親指(20)と人差し指(21)の間に置いた後、親指(20)の中間部位で押さえて固定し、もう一本の第１箸(1)を人差し指(21)と中指(22)の基節の間の地点と人差し指(21)の基節部分に置いた後、前記親指(20)の末節部位で押さえて取る。
【００６２】
そして、前記第２箸(2)を固定させた状態で第１箸(1)を親指(20)の末節部位で押さえた地点(回動軸(4)の近く)を基準点として人差し指(21)と中指(22)で箸(1)を一定角度下に回転させて必要な物が捉えられるようになる。
【００６３】
即ち、前記第１箸(1)を親指(20)の末節部位で押さえた地点の近くに回動軸(4)が位置しながら二本の箸(100;1、2)の間の間隔を一定に保持させていることになり、前記回動軸(4)を連結する回動溝(Ib)の固定ピン(Ic)を中心に第１箸(1)が回動しながら箸さばきを行うことになる。
【００６４】
これと同時に前記第１箸(1)の上端部に設けられたガイド溝(la)に貫通されたガイド軸(3)に沿って働く第１箸(1)が回動角だけ開き離れながら移動することになる。
【００６５】
前述のように、常に一定の間隔を保持したまま中間の回動軸(4)を中心に箸さばきがなされ、前記ガイド軸(3)に沿って第１箸(1)が移動するために一対の箸(100;1、2)が互いにずれることなしに常に一定の軌跡を描くようになり、従って第１箸(1)が滑り落ちず、常に正しい間隔を保持するようになってより容易に箸使いを身につけることができるのである。
【００６６】
結果的に、前記箸(100;1、2)を初めて使用する子供や箸使いが不慣れな初心者や外国人も容易に箸(100;1、2)を使用できるようになるのである。
【００６７】
前述のように、本発明を特定実施例について説明した。しかし、本発明は前述した実施例に限定されず、本発明の思想を逸脱せずに当業者が多様な修正及び変形を施すことができる。従って、本発明の保護範囲は詳細な説明に限定されず本発明の後述される請求範囲と技術思想により限定される。
【産業上の利用可能性】
【００６８】
前述のように、本発明は正しい箸の使い方を習う子供や外国人を訓練させるか校正するための箸を提供する。
【図面の簡単な説明】
【００６９】
【図１】従来正しい箸使いのために箸を取る状態を示した斜視図
【図２】従来正しい箸使いのために箸を取る状態を示した斜視図
【図３】従来本出願人により出願された箸の使用例示図
【図４】従来技術による箸のもう一つの使用例示図
【図５】本発明による箸の構成を示した図面
【図６】本発明による箸の結合状態での動きを示す図面
【図７】本発明による箸の結合状態での動きを示す図面
【図８】本発明による箸で回動軸の設け位置及び回動軸自体の長さ変更ができる構造を示す例示図
【図９】本発明による箸で回動軸の設け位置及び回動軸自体の長さ変更ができる構造を示す例示図
【図１０】本発明の他の実施例による箸にパッド部が形成された状態を示す使用例示図
【図１１】本発明による箸を正しく把持して使用する使用例示図
【符号の説明】
【００７０】
１    第１箸
２    第２箸
１ａ  ガイド溝
１ｂ  回動溝
１ｃ  固定ピン
２ａ  固定溝
２ｂ  締結溝
３    ガイド軸
４    回動軸
５    マスコット
６    パット部
【図１】
2007532231.tif 000003
【図２】
2007532231.tif 000004
【図３】
2007532231.tif 000005
【図４】
2007532231.tif 000006
【図５】
2007532231.tif 000007
【図６】
2007532231.tif 000008
【図７】
2007532231.tif 000009
【図８】
2007532231.tif 000010
【図９】
2007532231.tif 000011
【図１０】
2007532231.tif 000012
【図１１】
2007532231.tif 000013
【国際調査報告】
2007532231.tif 000014
2007532231.tif 000015
2007532231.tif 000016